(57)【要約】【課題】検査精度を向上することの可能な絶縁検査装置を提供する。【解決手段】電源部３は、第１端子３１と第２端子３２とを有する。切替部４は、Ｕ相、Ｖ相、Ｗ相の各線材およびコアに対する第１端子３１および第２端子３２の電気的な接続状態と遮断状態とを切り替える。放電量計測部５は、Ｕ相、Ｖ相、Ｗ相の各線材およびコアのうち第１端子３１に電気的に接続された部材と第２端子３２に電気的に接続された部材との間に生じる放電量を計測する。絶縁判定部６は、放電量計測部５により計測された放電量に基づき、線材の皮膜が所定の品質基準を満たす規格内の製品であるか否かを判定する。制御部７は、Ｕ相、Ｖ相、Ｗ相の各線材およびコアのいずれも第１端子３１および第２端子３２の両方に対し絶縁状態になることなく、Ｕ相、Ｖ相、Ｗ相の各線材およびコアの全てが第１端子３１または第２端子３２と電気的に接続されるように切替部４を制御する。【選択図】図１
2020169986.tif 000002
【特許請求の範囲】
【請求項１】
回転電機の電機子のコア（２）の有するスロット（２１）に挿入された複数の線材の皮膜の絶縁状態をＵ相の線材とＶ相の線材とＷ相の線材とが結線される前の状態で検査する絶縁検査装置において、
第１端子（３１）と第２端子（３２）とを有する電源部（３）と、
Ｕ相、Ｖ相、Ｗ相の各線材および前記コアに対する前記第１端子および前記第２端子の電気的な接続状態と遮断状態とを切り替える切替部（４）と、
Ｕ相、Ｖ相、Ｗ相の各線材および前記コアのうち前記第１端子に電気的に接続された部材と前記第２端子に電気的に接続された部材との間に生じる放電量を計測する放電量計測部（５）と、
前記放電量計測部により計測された放電量に基づき、線材の皮膜が所定の品質基準を満たす規格内の製品であるか否かを判定する絶縁判定部（６）と、
Ｕ相、Ｖ相、Ｗ相の各線材および前記コアのいずれも前記第１端子および前記第２端子の両方に対し絶縁状態になることなく、Ｕ相、Ｖ相、Ｗ相の各線材および前記コアの全てが前記第１端子または前記第２端子と電気的に接続されるように前記切替部を制御する制御部（７）と、を備える絶縁検査装置。
【請求項２】
前記制御部は、Ｕ相、Ｖ相、Ｗ相のうちいずれか２つの相の線材と前記第１端子とが電気的に接続され、且つ、他の１つの相の線材および前記コアと前記第２端子とが電気的に接続された状態となるように前記切替部を制御する、請求項１に記載の絶縁検査装置。
【請求項３】
Ｕ相の線材、Ｖ相の線材、Ｗ相の線材はそれぞれ並列結線されるものであり、
前記制御部は、
Ｕ相、Ｖ相、Ｗ相のうちいずれか２つの相でそれぞれ並列結線された線材と前記第１端子とが電気的に接続され、且つ、他の１つの相で並列結線された線材および前記コアと前記第２端子とが電気的に接続された状態となるように前記切替部を制御して第１の並列結線用測定状態とし、
Ｕ相、Ｖ相、Ｗ相の全ての相において並列結線された一方側の線材と前記第１端子とが電気的に接続され、且つ、Ｕ相、Ｖ相、Ｗ相の全ての相において並列結線された他方側の線材および前記コアと前記第２端子とが電気的に接続された状態となるように前記切替部を制御して第２の並列結線用測定状態とする、請求項１に記載の絶縁検査装置。
【請求項４】
Ｕ相の線材、Ｖ相の線材、Ｗ相の線材はそれぞれ直列結線されるものであり、
前記制御部は、
Ｕ相、Ｖ相、Ｗ相のうちいずれか１つの相の線材と前記第１端子とが電気的に接続され、且つ、他の２つの相の線材および前記コアと前記第２端子とが電気的に接続された状態となるように前記切替部を制御して第１の直列結線用測定状態とし、
Ｕ相、Ｖ相、Ｗ相の全ての線材と前記第１端子とが電気的に接続され、且つ、前記コアと前記第２端子とが電気的に接続された状態となるように前記切替部を制御して第２の直列結線用測定状態とする、請求項１に記載の絶縁検査装置。
【請求項５】
前記絶縁検査装置は、Ｕ相、Ｖ相、Ｗ相の各線材および前記コアが設置される環境湿度または線材の皮膜の吸湿度を検出する湿度検出部（１２）をさらに備え、
前記電源部から線材に対する電圧の印加開始から前記絶縁判定部が線材の絶縁状態の良否を判定するまでの判定時間に関し、環境湿度または吸湿度が所定の値より低いときの判定時間よりも、環境湿度または吸湿度が所定の値より高いときの判定時間を長く設定するように構成されている、請求項１ないし４のいずれか１つに記載の絶縁検査装置。
【請求項６】
回転電機の電機子のコア（２）の有するスロット（２１）に挿入された複数の線材の皮膜の絶縁状態をＵ相の線材とＶ相の線材とＷ相の線材とが結線される前の状態で検査する絶縁検査装置において、
第１端子（３１）と第２端子（３２）とを有する電源部（３）と、
Ｕ相、Ｖ相、Ｗ相の各線材および前記コアに対する前記第１端子および前記第２端子の電気的な接続状態と遮断状態とを切り替える切替部（４）と、
Ｕ相、Ｖ相、Ｗ相の各線材および前記コアのうち前記第１端子に電気的に接続された部材と前記第２端子に電気的に接続された部材との間に生じる放電量を計測する放電量計測部（５）と、
前記放電量計測部により計測された放電量に基づき、線材の皮膜が所定の品質基準を満たす規格内の製品であるか否かを判定する絶縁判定部（６）と、
Ｕ相、Ｖ相、Ｗ相の各線材および前記コアが設置される環境湿度または線材の皮膜の吸湿度を検出する湿度検出部（１２）と、を備え、
前記電源部から線材に対する電圧の印加開始から前記絶縁判定部が線材の絶縁状態の良否を判定するまでの判定時間に関し、環境湿度または吸湿度が所定の値より低いときの判定時間よりも、環境湿度または吸湿度が所定の値より高いときの判定時間を長く設定するように構成されている、絶縁検査装置。
【請求項７】
回転電機の電機子のコア（２）の有するスロット（２１）に挿入された複数の線材の皮膜の絶縁状態をＵ相の線材とＶ相の線材とＷ相の線材とが結線される前の状態で検査する絶縁検査方法において、
電源部（３）が有する第１端子（３１）および第２端子（３２）の両方に対しＵ相、Ｖ相、Ｗ相の各線材および前記コアのいずれも絶縁状態になることなく、Ｕ相、Ｖ相、Ｗ相の各線材および前記コアの全てが前記第１端子または前記第２端子と電気的に接続されている状態にすることと、
前記電源部からＵ相、Ｖ相、Ｗ相の各線材および前記コアに電圧を印加し、Ｕ相、Ｖ相、Ｗ相の各線材および前記コアのうち前記第１端子に電気的に接続された部材と前記第２端子に電気的に接続された部材との間に生じる放電量を計測することを含む絶縁検査方法。
【請求項８】
回転電機の電機子のコア（２）の有するスロット（２１）に挿入された複数の線材の皮膜の絶縁状態をＵ相の線材とＶ相の線材とＷ相の線材とが結線される前の状態で検査する絶縁検査方法において、
電源部（３）が有する第１端子（３１）または第２端子（３２）に対しＵ相、Ｖ相、Ｗ相の各線材および前記コアが電気的に接続されている状態にすることと、
Ｕ相、Ｖ相、Ｗ相の各線材および前記コアが設置される環境湿度または線材の皮膜の吸湿度を検出することと、
前記電源部から線材に対する電圧の印加開始から絶縁判定部が線材の絶縁状態の良否を判定するまでの判定時間に関し、環境湿度または吸湿度が所定の値より低いときの判定時間よりも、環境湿度または吸湿度が所定の値より高いときの判定時間を長く設定することと、
前記電源部からＵ相、Ｖ相、Ｗ相の各線材および前記コアに電圧を印加し、Ｕ相、Ｖ相、Ｗ相の各線材および前記コアのうち前記第１端子に電気的に接続された部材と前記第２端子に電気的に接続された部材との間に生じる放電量を計測することを含む絶縁検査方法。
【発明の詳細な説明】
【技術分野】
【０００１】
本発明は、回転電機のコイルを形成する線材の皮膜の絶縁状態を検査する絶縁検査装置およびその方法に関するものである。
【背景技術】
【０００２】
従来、電動車両に搭載されるモータジェネレータなどに用いられる回転電機が知られている。その回転電機の製造過程には、電機子のコアの有するスロットに挿入されたコイルを形成する線材の皮膜の絶縁状態を検査する工程が含まれる。
【０００３】
特許文献１に記載の絶縁検査装置は、ステータコアのスロットに挿入されたＵ相、Ｖ相およびＷ相の線材が中性点で結線される前の状態で相間の絶縁検査を行うものである。相間の絶縁検査とは、所定の相の線材と別の相の線材との絶縁検査をいう。具体的には、例えば、Ｕ相の線材とＶ相の線材との絶縁検査では、絶縁検査装置の一方のプローブとＵ相の線材とを接続し、他方のプローブとＶ相の線材とを接続し、絶縁検査装置からＵ相とＶ相の線材に交流電圧を印加して部分放電による放電電荷量を測定する。
【先行技術文献】
【特許文献】
【０００４】
【特許文献１】特開２００５−２５７５４９号公報
【発明の概要】
【発明が解決しようとする課題】
【０００５】
しかしながら、特許文献１に記載の絶縁検査装置は、相間の絶縁検査を行う際、その絶縁検査を行っている箇所（以下、「測定部位」という）と、絶縁検査を行っていない箇所（以下、「非測定部位」という）が生じる。そのため、非測定部位に浮遊電位が存在すると、その非測定部位から測定部位へ放電が誘発され、放電が増える傾向にある。例えば、Ｕ相の線材とＶ相の線材との絶縁検査を行っている際、Ｗ相の線材とステータコアにはプローブが接続されていない。そのため、非測定部位であるＷ相の線材またはステータコアから、測定部位であるＵ相の線材またはＶ相の線材へ放電が誘発される。その場合、所定の品質基準を満たしている規格内の線材を誤って品質基準を満たさない規格外の線材と判定するといった過検知が生じることで、絶縁検査の精度が低下するおそれがある。
【０００６】
本発明は上記点に鑑みて、検査精度を向上することの可能な絶縁検査装置および絶縁検査方法を提供することを目的とする。
【課題を解決するための手段】
【０００７】
上記目的を達成するため、請求項１に係る発明によると、絶縁検査装置は、回転電機の電機子のコア（２）の有するスロット（２１）に挿入された複数の線材の皮膜の絶縁状態をＵ相の線材とＶ相の線材とＷ相の線材とが結線される前の状態で検査する。この絶縁検査装置は、電源部（３）、切替部（４）、放電量計測部（５）、絶縁判定部（６）および制御部（７）を備える。電源部は、第１端子（３１）と第２端子（３２）とを有する。切替部は、Ｕ相、Ｖ相、Ｗ相の各線材およびコアに対する第１端子および第２端子の電気的な接続状態と遮断状態とを切り替える。放電量計測部は、Ｕ相、Ｖ相、Ｗ相の各線材およびコアのうち第１端子に電気的に接続された部材と第２端子に電気的に接続された部材との間に生じる放電量を計測する。絶縁判定部は、放電量計測部により計測された放電量に基づき、線材の皮膜が所定の品質基準を満たす規格内の製品であるか否かを判定する。制御部は、Ｕ相、Ｖ相、Ｗ相の各線材およびコアのいずれも第１端子および第２端子の両方に対し絶縁状態になることなく、Ｕ相、Ｖ相、Ｗ相の各線材およびコアの全てが第１端子または第２端子と電気的に接続されるように切替部を制御する。
【０００８】
これによれば、Ｕ相、Ｖ相、Ｗ相の各線材およびコアの全てを第１端子または第２端子と電気的に接続することで、浮遊電位を無くすことが可能である。そのため、絶縁検査を行っていない非測定部位から絶縁検査を行っている測定部位へ放電が誘発されることが無い。したがって、この絶縁検査装置は、所定の品質基準を満たす規格内の線材を誤って品質基準を満たさない規格外の線材と判定する過検知を防ぎ、絶縁検査の精度を向上することができる。
なお、放電量とは、放電量計測部により測定される電荷量に基づいて放電と見做された回数を所定時間ごとに計測したものいう。
また、電機子のスロットに挿入された線材は、セグメントコイルとも呼ばれる。
【０００９】
ところで、絶縁検査は、環境湿度または線材の皮膜の吸湿度（以下、それらを単に「湿度」ということがある）が高い状態の中で行われることがある。その場合、Ｕ相、Ｖ相、Ｗ相の各線材およびコアのうち第１端子に電気的に接続された部材と第２端子に電気的に接続された部材との間に放電が発生し続けるといった自続放電が起こりやすい傾向がある。その理由は、湿度の高い環境下では、空気や皮膜などが水分を多く含むため、気体原子の電離が発生しやすく、電子なだれが継続しやすい傾向にあるためと考える。そのため、一般に、絶縁検査では、部分放電開始電圧（PDIV: Partial Discharge Inception Voltage）を、湿度上昇率に対して一定の割合で低下させる対策が取られている。しかし、その対策によっても、湿度が所定の値を超えると、自続放電がより発生しやすくなり、過検知が生じる割合が増加し、絶縁検査の精度が低下するという問題がある。
【００１０】
そこで、請求項６に係る発明では、回転電機の電機子のコア（２）の有するスロット（２１）に挿入された複数の線材の皮膜の絶縁状態をＵ相の線材とＶ相の線材とＷ相の線材とが結線される前の状態で検査する絶縁検査装置は、電源部（３）、切替部（４）、放電量計測部（５）、絶縁判定部（６）および湿度検出部（１２）を備える。電源部は、第１端子（３１）と第２端子（３２）とを有する。切替部は、Ｕ相、Ｖ相、Ｗ相の各線材およびコアに対する第１端子および第２端子の電気的な接続状態と遮断状態とを切り替える。放電量計測部は、Ｕ相、Ｖ相、Ｗ相の各線材およびコアのうち第１端子に電気的に接続された部材と第２端子に電気的に接続された部材との間に生じる放電量を計測する。絶縁判定部は、放電量計測部により計測された放電量に基づき、線材の皮膜が所定の品質基準を満たす規格内の製品であるか否かを判定する。湿度検出部は、Ｕ相、Ｖ相、Ｗ相の各線材およびコアが設置される環境湿度または線材の皮膜の吸湿度を検出する。そして、この絶縁検査装置は、電源部から線材に対する電圧の印加開始から絶縁判定部が線材の絶縁状態の良否を判定するまでの判定時間に関し、環境湿度または吸湿度が所定の値より低いときの判定時間よりも、環境湿度または吸湿度が所定の値より高いときの判定時間を長く設定するように構成されている。
【００１１】
これによれば、湿度が所定の値より高いときは、判定時間を長く設定することで、放電量計測部で計測される放電回数が時間経過とともに収束する。そのため、この絶縁検査装置は、湿度の影響を受けることなく、過検知を防ぎ、検査精度を向上することができる。一方、湿度が所定の値より低いときは、判定時間を短く設定することで、絶縁検査にかかる時間を短くすることができる。
【００１２】
請求項７に係る発明は、回転電機の電機子のコア（２）の有するスロット（２１）に挿入された複数の線材の皮膜の絶縁状態をＵ相の線材とＶ相の線材とＷ相の線材とが結線される前の状態で検査する絶縁検査方法に関する発明である。この検査方法は、電源部（３）が有する第１端子（３１）および第２端子（３２）の両方に対しＵ相、Ｖ相、Ｗ相の各線材およびコアのいずれも絶縁状態になることなく、Ｕ相、Ｖ相、Ｗ相の各線材およびコアの全てが第１端子または第２端子と電気的に接続されている状態にする。そして、電源部からＵ相、Ｖ相、Ｗ相の各線材およびコアに電圧を印加し、Ｕ相、Ｖ相、Ｗ相の各線材およびコアのうち第１端子に電気的に接続された部材と第２端子に電気的に接続された部材との間に生じる放電量を計測する。
【００１３】
この検査方法によれば、請求項１に係る発明と同様に、浮遊電位を無くすことで過検知を防ぎ、絶縁検査の精度を向上することができる。
【００１４】
請求項８に係る発明も、回転電機の電機子のコア（２）の有するスロット（２１）に挿入された複数の線材の皮膜の絶縁状態をＵ相の線材とＶ相の線材とＷ相の線材とが結線される前の状態で検査する絶縁検査方法に関する発明である。この方法は、電源部（３）が有する第１端子（３１）または第２端子（３２）に対しＵ相、Ｖ相、Ｗ相の各線材およびコアが電気的に接続されている状態にする。Ｕ相、Ｖ相、Ｗ相の各線材およびコアが設置される環境湿度または線材の皮膜の吸湿度を検出する。そして、電源部から線材に対する電圧の印加開始から絶縁判定部が線材の絶縁状態の良否を判定するまでの判定時間に関し、環境湿度または吸湿度が所定の値より低いときの判定時間よりも、環境湿度または吸湿度が所定の値より高いときの判定時間を長く設定する。そして、電源部からＵ相、Ｖ相、Ｗ相の各線材およびコアに電圧を印加し、Ｕ相、Ｖ相、Ｗ相の各線材およびコアのうち第１端子に電気的に接続された部材と第２端子に電気的に接続された部材との間に生じる放電量を計測する。
【００１５】
この検査方法によれば、請求項６に係る発明と同様に、湿度の影響を受けることなく、過検知を防ぎ、絶縁検査の精度を向上することができる。一方、湿度が所定の値より低いときは、判定時間を短く設定することで、絶縁検査にかかる時間を短くすることができる。
【００１６】
なお、各構成要素等に付された括弧付きの参照符号は、その構成要素等と後述する実施形態に記載の具体的な構成要素等との対応関係の一例を示すものである。
【図面の簡単な説明】
【００１７】
【図１】第１実施形態に係る絶縁検査装置の回路構成を示す概略図である。
【図２】ステータコアのスロットに挿入された複数の線材の一部を示す模式図である。
【図３】回転電機の各相の線材が直列結線されている状態を示す模式図である。
【図４】第１比較例と第１実施形態の絶縁検査方法を比較した表である。
【図５】第１比較例と第２実施形態の絶縁検査方法を比較した表である。
【図６】第３実施形態の絶縁検査の対象となる回転電機の各相の線材が並列結線される状態を示す模式図である。
【図７】第２比較例と第３実施形態の絶縁検査方法を比較した表である。
【図８】第４実施形態に係る絶縁検査装置の回路構成を示す概略図である。
【図９】湿度の影響による放電回数の変化を示した実験結果である。
【発明を実施するための形態】
【００１８】
以下、本発明の実施形態について図面を参照しつつ説明する。なお、以下の各実施形態相互において、互いに同一もしくは均等である部分には、同一符号を付し、その説明を省略する。
【００１９】
（第１実施形態）
第１実施形態について図面を参照しつつ説明する。図１〜図３に示すように、本実施形態の絶縁検査装置１は、図示しない回転電機のステータコア２の有するスロット２１に挿入された複数の線材の皮膜の絶縁状態を検査する装置である。なお、回転電機は、例えば、電動車両に搭載されるモータジェネレータなどに用いられる。
【００２０】
図１に示すように、絶縁検査装置１は、電源部３、切替部４、放電量計測部５、絶縁判定部６および制御部７などを備えている。
電源部３は、交流電源により構成されている。電源部３は、第１端子３１と第２端子３２を有する。第１端子３１は、一方の配線８を経由して切替部４に接続されている。第２端子３２は、他方の配線９を経由して切替部４に接続されている。
【００２１】
切替部４には、Ｕ相、Ｖ相、Ｗ相の各線材とステータコア２が電気的に接続されている。図２に示すように、Ｕ相、Ｖ相、Ｗ相の各線材は、ステータコア２の有するスロット２１に挿入された状態となっている。図２では、ステータコア２の一部と、そのスロット２１に挿入された、Ｕ相、Ｖ相、Ｗ相を構成する複数の線材の一部を模式的に示している。なお、線材は、セグメントコイルとも呼ばれる。
【００２２】
また、図３に示すように、Ｕ相の線材、Ｖ相の線材、および、Ｗ相の線材はそれぞれ直列結線されている。そして、Ｕ相の線材とＶ相の線材とＷ相の線材は、Ｙ結線における中性点で結線される前の状態となっている。
【００２３】
図１に示すように、切替部４は、Ｕ相、Ｖ相、Ｗ相の各線材およびステータコア２に対し、第１端子３１に接続された一方の配線８と第２端子３２に接続された他方の配線９との電気的な接続状態と遮断状態とを切り替えることの可能な切替スイッチである。
【００２４】
第１端子３１と切替部４とを接続する配線８に設けられたブロッキングコイル１０は、線材またはステータコア２に生じる部分放電により発生した放電パルス信号（高調波成分）が電源部３に逆流することを防止するためのものである。また、電源部３と切替部４に対して並列に接続される配線１３に設けられた結合コンデンサ１１は、線材またはステータコア２に生じる部分放電により発生した放電パルス信号のみを流すためのものである。
【００２５】
放電量計測部５は、結合コンデンサ１１と直列に設けられている。放電量計測部５は、Ｕ相、Ｖ相、Ｗ相の各線材およびステータコア２のうち、切替部４を介して第１端子３１に電気的に接続された部材と、切替部４を介して第２端子３２に電気的に接続された部材との間に生じる放電量を計測する。具体的には、放電量計測部５は、部分放電が発生する際に結合コンデンサ１１を流れる微小な電流を検出し、その電流値を基に放電電荷量を算出する。そして、放電量計測部５は、その放電電荷量に基づいて放電と見做された回数を所定時間ごとに計測したものを放電量とする。
【００２６】
本実施形態では、放電量計測部５は、例えば、下記の２つのパラメータにより放電量を測定している。具体的には、放電量計測部５は、電荷量が所定の大きさ以上であり、且つ、交流により電荷が移動する頻度が所定の頻度以上となるときに、放電が発生していると見做す。そして、放電量計測部５は、その放電の回数を所定時間ごとに計測したものを放電量とする。
【００２７】
絶縁判定部６は、放電量計測部５により計測された放電量に基づき、線材の皮膜が所定の品質基準を満たす規格内の製品であるか否かを判定する。具体的には、絶縁判定部６は、放電開始から一定時間経過したときに放電量計測部５により計測される放電量が所定の閾値より小さい場合、線材の皮膜が所定の品質基準を満たす規格内の製品であると判定する。一方、絶縁判定部６は、放電開始から一定時間経過したときに放電量計測部５により計測される放電量が所定の閾値より大きい場合、線材の皮膜が所定の品質基準を満たさない規格外の製品であると判定する。
【００２８】
絶縁判定部６による判定結果に関する情報は、制御部７に伝送される。制御部７は、絶縁検査装置１の各部の動作を制御する。具体的には、制御部７は、電源部３の出力電圧を制御する。また、制御部７は、切替部４の動作を制御することが可能である。
【００２９】
本実施形態では、制御部７は、Ｕ相、Ｖ相、Ｗ相の各線材およびステータコア２の全てが第１端子３１または第２端子３２と電気的に接続されるように切替部４の動作を制御する。また、制御部７は、Ｕ相、Ｖ相、Ｗ相の各線材およびステータコア２のいずれも第１端子３１および第２端子３２の両方に対し絶縁状態にならないように切替部４の動作を制御する。
【００３０】
これにより、絶縁検査装置１は、絶縁検査を行う際、Ｕ相、Ｖ相、Ｗ相の各線材およびステータコア２の全てを第１端子３１または第２端子３２と電気的に接続することで、浮遊電位を無くすことが可能である。そのため、絶縁検査を行っていない非測定部位から絶縁検査を行っている測定部位へ放電が誘発されることが無い。したがって、この絶縁検査装置１は、所定の品質基準を満たす規格内の線材を誤って品質基準を満たさない規格外の線材と判定する過検知を防ぎ、絶縁検査の精度を向上することができる。
【００３１】
さらに、第１実施形態の絶縁検査装置１は、相間および対地の絶縁検査に関し、複数の部位を同時に検査することが可能である。そのため、一般的な絶縁検査の方法に比べて、検査回数が少なくなり、絶縁検査にかかる時間を短くすることができる。
【００３２】
以下、図４の表を参照しつつ、第１実施形態の絶縁検査装置１による絶縁検査の方法と、第１比較例の絶縁検査の方法を対比して説明する。なお、第１比較例は、Ｕ相の線材、Ｖ相の線材、Ｗ相の線材がそれぞれ直列結線されている線材に対する一般的な絶縁検査の方法を示している。なお、図４の表に記載した絶縁検査の順番は任意に変更することが可能である。このことは、後述する第２、第３実施形態で参照する図５、図７の表についても同じである。
【００３３】
まず、第１比較例による絶縁検査の方法を説明する。
第１比較例では、１回目〜３回目で相間の絶縁検査が行われ、４回目で対地の絶縁検査が行われる。
具体的には、１回目で、Ｕ相の線材とＶ相の線材との絶縁検査が行われる。１回目の絶縁検査では、切替部４の動作により、電源部３の第１端子３１とＵ相の線材とが電気的に接続され、電源部３の第２端子３２とＶ相の線材とが電気的に接続される。そして、電源部３からＵ相の線材とＶ相の線材とに交流電圧が印加され、Ｕ相の線材とＶ相の線材との間に生じる放電量が放電量計測部５により計測される。
【００３４】
なお、１回目の絶縁検査では、Ｗ相の線材とステータコア２が非測定部位となる。そのため、その非測定部位に浮遊電位が存在すると、そこから測定部位へ放電が誘発され、放電が増える傾向にある。そのため、第１比較例では、所定の品質基準を満たしている規格内の線材を誤って品質基準を満たさない規格外の線材と判定するといった過検知が生じることで、絶縁検査の精度が低下するおそれがある。
【００３５】
続いて、２回目で、Ｖ相の線材とＷ相の線材との絶縁検査が行われる。３回目で、Ｗ相の線材とＵ相の線材との絶縁検査が行われる。なお、２回目と３回目の絶縁検査は、１回目の絶縁検査の説明に対し、Ｕ、Ｖ、Ｗが異なるのみであるので、説明を省略する。
【００３６】
４回目で、Ｕ相、Ｖ相、Ｗ相の線材とステータコア２との絶縁検査が行われる。４回目の絶縁検査では、切替部４の動作により、電源部３の第１端子３１とＵ相、Ｖ相、Ｗ相の線材とが電気的に接続され、電源部３の第２端子３２とステータコア２とが電気的に接続される。そして、電源部３からＵ相、Ｖ相、Ｗ相の線材とステータコア２とに交流電圧が印加され、Ｕ相、Ｖ相、Ｗ相の線材とステータコア２との間に生じる放電量が放電量計測部５により計測される。
【００３７】
第１比較例では、１回目〜４回目の絶縁検査において、Ｕ相、Ｖ相、Ｗ相のいずれかの線材の皮膜が所定の品質基準を満たさない規格外の製品であると判定された場合、その製品は廃却されることとなる。
【００３８】
次に、第１実施形態による絶縁検査の方法を説明する。
第１実施形態では、１回目と２回目で相間の絶縁検査と対地の絶縁検査とが同時に行われ、３回目で対地の絶縁検査が行われる。
具体的には、１回目で、Ｕ相の線材と、Ｖ相、Ｗ相の線材およびステータコア２との絶縁検査が行われる。１回目の絶縁検査では、切替部４の動作により、電源部３の第１端子３１とＵ相の線材とが電気的に接続され、電源部３の第２端子３２とＶ相、Ｗ相の線材およびステータコア２とが電気的に接続される。そして、電源部３からＵ相の線材と、Ｖ相、Ｗ相の線材およびステータコア２とに交流電圧が印加され、Ｕ相の線材と、Ｖ相、Ｗ相の線材およびステータコア２との間に生じる放電量が放電量計測部５により計測される。
【００３９】
次に、２回目で、Ｖ相の線材と、Ｗ相、Ｕ相の線材およびステータコア２との絶縁検査が行われる。２回目の絶縁検査では、切替部４の動作により、電源部３の第１端子３１とＶ相の線材とが電気的に接続され、電源部３の第２端子３２とＷ相、Ｕ相の線材およびステータコア２とが電気的に接続される。そして、電源部３からＶ相の線材と、Ｗ相、Ｕ相の線材およびステータコア２とに交流電圧が印加され、Ｖ相の線材と、Ｗ相、Ｕ相の線材およびステータコア２との間に生じる放電量が放電量計測部５により計測される。
【００４０】
最後に、３回目で、Ｕ相、Ｖ相、Ｗ相の線材と、ステータコア２との絶縁検査が行われる。３回目の絶縁検査では、切替部４の動作により、電源部３の第１端子３１とＵ相、Ｖ相、Ｗ相の線材とが電気的に接続され、電源部３の第２端子３２とステータコア２とが電気的に接続される。そして、電源部３からＵ相、Ｖ相、Ｗ相の線材と、ステータコア２とに交流電圧が印加され、Ｕ相、Ｖ相、Ｗ相の線材と、ステータコア２との間に生じる放電量が放電量計測部５により計測される。
【００４１】
第１実施形態では、１回目〜３回目の絶縁検査において、Ｕ相、Ｖ相、Ｗ相のいずれかの線材の皮膜が所定の品質基準を満たさない規格外の製品であると判定された場合、その製品は廃却されることとなる。
【００４２】
このように、第１実施形態による絶縁検査の方法は、第１比較例の絶縁検査の方法と比べて、検査回数が少なくなるので、絶縁検査にかかる時間を短くすることができる。このことは、絶縁検査装置１の台数低減、すなわち、設備投資の低減にも繋がることになる。
【００４３】
なお、上述した第１実施形態の１回目と２回目の配線の接続状態を、第１の直列結線用測定状態と呼ぶこととする。すなわち、第１の直列結線用測定状態とは、Ｕ相、Ｖ相、Ｗ相のうちいずれか１つの相の線材と第１端子３１とが電気的に接続され、且つ、他の２つの相の線材およびステータコア２と第２端子３２とが電気的に接続された状態である。
【００４４】
また、上述した第１実施形態の３回目の配線の接続状態を、第２の直列結線用測定状態と呼ぶこととする。すなわち、第２の直列結線用測定状態とは、Ｕ相、Ｖ相、Ｗ相の全ての線材と第１端子３１とが電気的に接続され、且つ、ステータコア２と第２端子３２とが電気的に接続された状態である。
第１の直列結線用測定状態と第２の直列結線用測定状態のいずれの状態も、非測定部位が生じることが無い。
【００４５】
以上説明した第１実施形態の絶縁検査装置１およびその方法は、次の作用効果を奏するものである。
（１）第１実施形態では、絶縁検査の際、制御部７が切替部４を制御し、Ｕ相、Ｖ相、Ｗ相の各線材およびステータコア２のいずれも第１端子３１および第２端子３２の両方に対し絶縁状態にならないようにする。また、その際、制御部７は切替部４を制御し、Ｕ相、Ｖ相、Ｗ相の各線材およびステータコア２の全てが第１端子３１または第２端子３２と電気的に接続されるようにする。これにより、絶縁検査の際、非測定部位を無くすことが可能である。そのため、第１実施形態は、第１比較例のように非測定部位から測定部位へ放電が誘発されることが無い。したがって、第１実施形態の絶縁検査装置１およびその方法は、過検知を防ぎ、絶縁検査の精度を向上することができる。
【００４６】
（２）第１実施形態では、絶縁検査の際、制御部７が切替部４を制御し、上述した第１の直列結線用測定状態と第２の直列結線用測定状態とする。これにより、第１実施形態の絶縁検査装置１およびその方法は、第１比較例として説明した一般的な検査方法に比べて、検査回数を少なくすることが可能である。したがって、第１実施形態の絶縁検査装置１およびその方法は、浮遊電位を無くすことで絶縁検査の精度を向上すると共に、絶縁検査にかかる時間を短くすることができる。
【００４７】
（第２実施形態）
第２実施形態について説明する。第２実施形態は、第１実施形態に対して絶縁検査装置１による検査方法の一部を変更したものであり、その他については第１実施形態と同様であるため、第１実施形態と異なる部分についてのみ説明する。
なお、第２実施形態においても、第１実施形態と同様に、Ｕ相の線材、Ｖ相の線材、および、Ｗ相の線材はそれぞれ直列結線されているものとする。
【００４８】
第２実施形態の絶縁検査装置１による絶縁検査の方法を、図５の表に示す。なお、図５の表に記載されている第１比較例の絶縁検査の方法は、第１実施形態の説明の中で記載したものと同一であるので、説明を省略する。
【００４９】
第２実施形態では、１回目と２回目で相間の絶縁検査と対地の絶縁検査とが同時に行われる。
具体的には、１回目で、Ｖ相、Ｗ相の線材と、Ｕ相の線材およびステータコア２との絶縁検査が行われる。１回目の絶縁検査では、切替部４の動作により、電源部３の第１端子３１とＶ相、Ｗ相の線材とが電気的に接続され、電源部３の第２端子３２とＵ相の線材およびステータコア２とが電気的に接続される。そして、電源部３からＶ相、Ｗ相の線材と、Ｕ相の線材およびステータコア２とに交流電圧が印加され、Ｖ相、Ｗ相の線材と、Ｕ相の線材およびステータコア２との間に生じる放電量が放電量計測部５により計測される。
【００５０】
次に、２回目で、Ｗ相、Ｕ相の線材と、Ｖ相の線材およびステータコア２との絶縁検査が行われる。２回目の絶縁検査では、切替部４の動作により、電源部３の第１端子３１とＷ相、Ｕ相の線材とが電気的に接続され、電源部３の第２端子３２とＶ相の線材およびステータコア２とが電気的に接続される。そして、電源部３からＷ相、Ｕ相の線材と、Ｖ相の線材およびステータコア２とに交流電圧が印加され、Ｗ相、Ｕ相の線材と、Ｖ相の線材およびステータコア２との間に生じる放電量が放電量計測部５により計測される。
【００５１】
第２実施形態では、１回目と２回目の絶縁検査において、Ｕ相、Ｖ相、Ｗ相のいずれかの線材の皮膜が所定の品質基準を満たさない規格外の製品であると判定された場合、その製品は廃却されることとなる。
【００５２】
以上説明したように、第２実施形態では、絶縁検査の際、Ｕ相、Ｖ相、Ｗ相のうちいずれか２つの相の線材と第１端子３１とが電気的に接続され、且つ、他の１つの相の線材およびステータコア２と第２端子３２とが電気的に接続された状態となるようにする。これにより、Ｕ相、Ｖ相、Ｗ相の各線材およびステータコア２の全てを第１端子３１または第２端子３２と電気的に接続することで、浮遊電位を無くすことが可能である。そのため、第２実施形態の絶縁検査装置１およびその方法も、第１実施形態と同様に、過検知を防ぎ、絶縁検査の精度を向上することができる。
【００５３】
また、第２実施形態による絶縁検査の方法は、第１比較例の絶縁検査の方法と比べて、検査回数が少なくなるので、絶縁検査にかかる時間を短くすることができる。
さらに、第２実施形態による絶縁検査の方法は、第１実施形態の絶縁検査の方法と比べても、検査回数をより少なくすることができる。
【００５４】
（第３実施形態）
第３実施形態について説明する。第３実施形態は、第１実施形態等に対して絶縁検査装置１による検査方法の一部を変更したものであり、その他については第１実施形態等と同様であるため、第１実施形態等と異なる部分についてのみ説明する。
【００５５】
なお、図６に示すように、第３実施形態では、Ｕ相の線材、Ｖ相の線材、および、Ｗ相の線材はそれぞれ並列結線されるものとする。以下の説明において、Ｕ相の線材のうち、並列結線される一方の線材をＵ１の線材と呼び、他方の線材をＵ２の線材と呼ぶ。Ｖ相の線材のうち、並列結線される一方の線材をＶ１の線材と呼び、他方の線材をＶ２の線材と呼ぶ。Ｗ相の線材のうち、並列結線される一方の線材をＷ１の線材と呼び、他方の線材をＷ２の線材と呼ぶ。
【００５６】
図７を参照しつつ、第３実施形態の絶縁検査装置１による絶縁検査の方法と、第２比較例の絶縁検査の方法を対比して説明する。なお、第２比較例は、Ｕ相の線材、Ｖ相の線材、Ｗ相の線材がそれぞれ並列結線されている線材に対する一般的な絶縁検査の方法を示している。
【００５７】
まず、第２比較例による絶縁検査の方法を説明する。
第２比較例では、１回目〜３回目で相間の絶縁検査が行われ、４回目〜６回目で相内の絶縁検査が行われ、７回目で対地の絶縁検査が行われる。
具体的には、１回目で、Ｕ１、Ｕ２の線材とＶ１、Ｖ２の線材との絶縁検査が行われる。１回目の絶縁検査では、切替部４の動作により、電源部３の第１端子３１とＵ１、Ｕ２の線材とが電気的に接続され、電源部３の第２端子３２とＶ１、Ｖ２の線材とが電気的に接続される。そして、電源部３からＵ１、Ｕ２の線材とＶ１、Ｖ２の線材とに交流電圧が印加され、Ｕ１、Ｕ２の線材とＶ１、Ｖ２の線材との間に生じる放電量が放電量計測部５により計測される。
【００５８】
なお、１回目の絶縁検査では、Ｗ１、Ｗ２の線材とステータコア２が非測定部位となる。そのため、その非測定部位に浮遊電位が存在すると、そこから測定部位へ放電が誘発され、放電が増える傾向にある。
【００５９】
続いて、２回目で、Ｖ１、Ｖ２の線材とＷ１、Ｗ２相の線材との絶縁検査が行われる。３回目で、Ｗ１、Ｗ２の線材とＵ１、Ｕ２の線材との絶縁検査が行われる。なお、２回目と３回目の絶縁検査は、１回目の絶縁検査の説明に対し、Ｕ、Ｖ、Ｗが異なるのみであるので、説明を省略する。
【００６０】
４回目で、Ｕ１の線材とＵ２の線材との絶縁検査が行われる。４回目の絶縁検査では、切替部４の動作により、電源部３の第１端子３１とＵ１の線材とが電気的に接続され、電源部３の第２端子３２とＵ２の線材とが電気的に接続される。そして、電源部３からＵ１の線材とＵ２の線材とに交流電圧が印加され、Ｕ１の線材とＵ２の線材との間に生じる放電量が放電量計測部５により計測される。
なお、４回目の絶縁検査では、Ｖ１、Ｖ２、Ｗ１、Ｗ２の線材とステータコア２が非測定部位となる。そのため、その非測定部位に浮遊電位が存在すると、そこから測定部位へ放電が誘発され、放電が増える傾向にある。
【００６１】
続いて、５回目で、Ｖ１の線材とＶ２相の線材との絶縁検査が行われる。６回目で、Ｗ１の線材とＷ２の線材との絶縁検査が行われる。なお、５回目と６回目の絶縁検査は、４回目の絶縁検査の説明に対し、Ｕ、Ｖ、Ｗが異なるのみであるので、説明を省略する。
【００６２】
７回目で、Ｕ相、Ｖ相、Ｗ相の線材とステータコア２との絶縁検査が行われる。７回目の絶縁検査では、切替部４の動作により、電源部３の第１端子３１とＵ１、Ｕ２、Ｖ１、Ｖ２、Ｗ１、Ｗ２の線材とが電気的に接続され、電源部３の第２端子３２とステータコア２とが電気的に接続される。そして、電源部３からＵ１、Ｕ２、Ｖ１、Ｖ２、Ｗ１、Ｗ２の線材とステータコア２とに交流電圧が印加され、Ｕ１、Ｕ２、Ｖ１、Ｖ２、Ｗ１、Ｗ２の線材とステータコア２との間に生じる放電量が放電量計測部５により計測される。
【００６３】
第２比較例では、１回目〜７回目の絶縁検査において、Ｕ１、Ｕ２、Ｖ１、Ｖ２、Ｗ１、Ｗ２のいずれかの線材の皮膜が所定の品質基準を満たさない規格外の製品であると判定された場合、その製品は廃却されることとなる。
【００６４】
次に、第３実施形態による絶縁検査の方法を説明する。
第３実施形態では、１回目と２回目で相間の絶縁検査と対地の絶縁検査とが同時に行われ、３回目で相内の絶縁検査と対地の絶縁検査とが同時に行われる。
具体的には、１回目で、Ｖ相、Ｗ相の線材と、Ｕ相の線材およびステータコア２との絶縁検査が行われる。１回目の絶縁検査では、切替部４の動作により、電源部３の第１端子３１とＶ１、Ｖ２、Ｗ１、Ｗ２の線材とが電気的に接続され、電源部３の第２端子３２とＵ１、Ｕ２の線材およびステータコア２とが電気的に接続される。そして、電源部３からＶ１、Ｖ２、Ｗ１、Ｗ２の線材と、Ｕ１、Ｕ２の線材およびステータコア２とに交流電圧が印加され、Ｖ１、Ｖ２、Ｗ１、Ｗ２の線材と、Ｕ１、Ｕ２の線材およびステータコア２との間に生じる放電量が放電量計測部５により計測される。
【００６５】
次に、２回目で、Ｗ１、Ｗ２、Ｕ１、Ｕ２の線材と、Ｖ１、Ｖ２の線材およびステータコア２との絶縁検査が行われる。２回目の絶縁検査では、切替部４の動作により、電源部３の第１端子３１とＷ１、Ｗ２、Ｕ１、Ｕ２の線材とが電気的に接続され、電源部３の第２端子３２とＶ１、Ｖ２の線材およびステータコア２とが電気的に接続される。そして、電源部３からＷ１、Ｗ２、Ｕ１、Ｕ２の線材と、Ｖ１、Ｖ２の線材およびステータコア２とに交流電圧が印加され、Ｗ１、Ｗ２、Ｕ１、Ｕ２の線材と、Ｖ１、Ｖ２の線材およびステータコア２との間に生じる放電量が放電量計測部５により計測される。
【００６６】
最後に、３回目で、Ｕ１、Ｖ１、Ｗ１の線材と、Ｕ２、Ｖ２、Ｗ２の線材およびステータコア２との絶縁検査が行われる。３回目の絶縁検査では、切替部４の動作により、電源部３の第１端子３１とＵ１、Ｖ１、Ｗ１の線材とが電気的に接続され、電源部３の第２端子３２とＵ２、Ｖ２、Ｗ２の線材およびステータコア２とが電気的に接続される。そして、電源部３からＵ１、Ｖ１、Ｗ１の線材と、Ｕ２、Ｖ２、Ｗ２の線材およびステータコア２とに交流電圧が印加され、Ｕ１、Ｖ１、Ｗ１の線材と、Ｕ２、Ｖ２、Ｗ２の線材およびステータコア２との間に生じる放電量が放電量計測部５により計測される。
【００６７】
第３実施形態では、１回目〜３回目の絶縁検査において、Ｕ１、Ｕ２、Ｖ１、Ｖ２、Ｗ１、Ｗ２のいずれかの線材の皮膜が所定の品質基準を満たさない規格外の製品であると判定された場合、その製品は廃却されることとなる。
【００６８】
このように、第３実施形態による絶縁検査の方法は、第２比較例の絶縁検査の方法と比べて、検査回数が少なくなるので、絶縁検査にかかる時間を短くすることができる。
【００６９】
なお、上述した第３実施形態の１回目と２回目の配線の接続状態を、第１の並列結線用測定状態と呼ぶこととする。すなわち、第１の並列結線用測定状態とは、Ｕ相、Ｖ相、Ｗ相のうちいずれか２つの相でそれぞれ並列結線された線材と第１端子３１とが電気的に接続され、且つ、他の１つの相で並列結線された線材およびステータコア２と第２端子３２とが電気的に接続された状態である。
【００７０】
また、上述した第３実施形態の３回目の配線の接続状態を、第２の並列結線用測定状態と呼ぶこととする。すなわち、第２の並列結線用測定状態とは、Ｕ相、Ｖ相、Ｗ相の全ての相において並列結線された一方側の線材と第１端子３１とが電気的に接続され、且つ、Ｕ相、Ｖ相、Ｗ相の全ての相において並列結線された他方側の線材およびステータコア２と第２端子３２とが電気的に接続された状態である。
第１の並列結線用測定状態と第２の並列結線用測定状態のいずれも、非測定部位が生じることが無い。
【００７１】
以上説明した第３実施形態では、絶縁検査の際、制御部７が切替部４を制御し、上述した第１の並列結線用測定状態と第２の並結線用測定状態とする。これにより、第３実施形態の絶縁検査装置１およびその方法は、第２比較例として説明した一般的な検査方法に比べて、検査回数を少なくすることが可能である。したがって、第３実施形態の絶縁検査装置１およびその方法は、浮遊電位を無くすことで絶縁検査の精度を向上すると共に、絶縁検査にかかる時間を短くすることができる。
【００７２】
（第４実施形態）
第４実施形態について説明する。第４実施形態は、第１実施形態等に対して絶縁検査装置１の構成の一部と、その検査方法の一部を変更したものであり、その他については第１実施形態等と同様であるため、第１実施形態等と異なる部分についてのみ説明する。
【００７３】
図８に示すように、第４実施形態の絶縁検査装置１は、湿度検出部１２を備えている。湿度検出部１２は、Ｕ相、Ｖ相、Ｗ相の各線材およびステータコア２が設置される環境湿度または線材の皮膜の吸湿度を検出するものである。以下の説明では、環境湿度または線材の皮膜の吸湿度を、単に「湿度」ということがある。また、湿度検出部１２により検出された湿度を「検出湿度」ということがある。
【００７４】
第４実施形態の絶縁検査装置１では、その検出湿度に基づき、電源部３から線材に対する電圧の印加開始から絶縁判定部６が線材の絶縁状態の良否を判定するまでの判定時間が設定される。その判定時間は、検出湿度が所定の値より低いときの判定時間よりも、検出湿度が所定の値より高いときの判定時間が長く設定される。なお、所定の値は、実験などにより設定されるものであり、例えば４０〜６０％の間に設定される。
【００７５】
ここで、検出湿度に応じて判定時間を変える意義について、図９のグラフを参照して説明する。図９は、複数の線材について、湿度の影響による放電回数の変化を示した実験結果である。
【００７６】
図９の縦軸は、放電回数を示している。放電回数とは、第１実施形態で説明した放電量と同一である。すなわち、放電回数とは、放電量計測部５により算出された電荷量が所定の大きさ以上であり、且つ、交流により電荷が移動する頻度が所定の頻度以上となるものを放電と見做したとき、その放電の所定時間ごとの回数をいう。
図９の横軸は、電源部３から線材に対する電圧の印加開始から経過した時間を示している。なお、この実験において、電源部３から線材に対して印加する電圧は、湿度に応じて変化させていないものとする。
【００７７】
図９では、湿度検出部１２により検出される「検出湿度」が低湿度の場合の放電回数の推移を、クロスハッチングを付した棒グラフにて示している。また、「検出湿度」が中湿度の場合の放電回数の推移を、ハッチングを付した棒グラフにて示している。また、「検出湿度」が高湿度の場合の放電回数の推移を、白抜きの棒グラフにて示している。
【００７８】
クロスハッチングを付した棒グラフにて示されるように、低湿度の場合、時刻ｔ１では、放電回数が所定の規格値に近い値となっている。時刻ｔ２以降は、放電回数が非常に小さい値となっている。なお、所定の規格値は、例えば、回転電機の生涯寿命などを考慮して設定される値である。
【００７９】
ハッチングを付した棒グラフと白抜きの棒グラフにて示されるように、中湿度または高湿度の場合、電圧の印加開始から時刻ｔ５まで、放電回数が所定の規格値を超えている。時刻ｔ６以降、放電回数が所定の規格値を下回り、時刻ｔ１０では、放電回数が非常に小さい値となっている。
【００８０】
図９のクロスハッチングを付した棒グラフにて示されるように、湿度が低いときは、放電開始から放電回数が小さくなるまでの時間が短い。それに対し、図９のハッチングを付した棒グラフと白抜きの棒グラフにて示されるように、湿度が高いときは、放電開始から放電回数が小さくなるまでの時間が長くなる。そこで、第４実施形態では、湿度が所定の値より低いときの判定時間よりも、湿度が所定の値より高いときの判定時間を長く設定する構成としている。これにより、湿度が所定の値より高いときであっても、放電量計測部５で計測される放電回数が時間経過とともに収束する。したがって、この絶縁検査装置１および方法は、湿度の影響を受けることなく、過検知を防ぎ、絶縁検査の精度を向上することができる。一方、湿度が所定の値より低いときは、判定時間を短く設定することで、絶縁検査にかかる時間を短くすることができる。
【００８１】
（他の実施形態）
本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００８２】
（１）上記各実施形態では、絶縁検査装置１は、回転電機が備える電機子としてのステータコア２に組み付けられる線材の皮膜の絶縁状態を検査するものとして説明したが、これに限らない。絶縁検査装置１は、回転電機が備える電機子としてのロータコアに組み付けられる線材の皮膜の絶縁状態を検査するものであってもよい。
【００８３】
（２）上記第１実施形態では、Ｕ相を構成する複数の線材と、Ｖ相を構成する複数の線材と、Ｗ相を構成する複数の線材は、いずれも直列結線された状態で、且つ、中性点で結線される前の状態で絶縁検査するものとして説明したが、これに限らない。Ｕ相を構成する複数の線材と、Ｖ相を構成する複数の線材と、Ｗ相を構成する複数の線材は、いずれも直列結線される前の状態で、且つ、中性点で結線される前の状態で絶縁検査してもよい。
【００８４】
（３）上記第３実施形態では、Ｕ相の線材、Ｖ相の線材、および、Ｗ相の線材がそれぞれ２並列結線されるものについて説明したが、これに限らず、３並列結線、４並列結線など、多数の並列結線に適用することができる。
【００８５】
（４）上記実施形態では、線材がＹ結線されるものについて説明したが、これに限らず、Δ結線、ΔＹ結線、ＹΔ結線、ΔΔ結線、ＹＹ結線などに適用することができる。
【００８６】
（５）上記第４実施形態では、検出湿度が所定の値より低いときの判定時間よりも、検出湿度が所定の値より高いときの判定時間を長く設定したが、これに限らない。検出湿度が所定の値より低いときの印加電圧よりも、検出湿度が所定の値より高いときの印加電圧を低く設定してもよい。なお、そのときの印加電圧は、所定の湿度（例えば４０〜６０％）を超えたときに、低下率を大きくしてもよい。
【符号の説明】
【００８７】
１    絶縁検査装置
２    ステータコア
３    電源部
４    切替部
５    放電量計測部
６    絶縁判定部
７    制御部
２１  スロット
３１  第１端子
３２  第２端子
【図１】
2020169986.tif 000003
【図２】
2020169986.tif 000004
【図３】
2020169986.tif 000005
【図４】
2020169986.tif 000006
【図５】
2020169986.tif 000007
【図６】
2020169986.tif 000008
【図７】
2020169986.tif 000009
【図８】
2020169986.tif 000010
【図９】
2020169986.tif 000011